【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  介入治療及び血管手術に使用されるマルチストランド微細ケ−ブルであって、
弾性材料の複数本の可撓性ストランドを有し、前記微細ケ−ブルが放射線不透過性マ−カ−をなす少なくとも１本の放射線不透過性ストランドを含み、
少なくとも１本の放射線不透過性ストランドが軸線方向配置の放射線不透過性ワイヤ−からなる、マルチストランド微細ケ−ブル。
【請求項２】  弾性材料の少なくとも１本の前記複数本の可撓性ストランドが形状記憶又は超弾性材料からなる、請求項１に記載のマルチストランド微細ケ−ブル。
【請求項３】  前記形状記憶又は超弾性材料がニッケル−チタン合金からなる、請求項２に記載のマルチストランド微細ケ−ブル。
【請求項４】  前記形状記憶材料が形状記憶ポリマ−からなる、請求項２に記載のマルチストランド微細ケ−ブル。
【請求項５】  前記複数本の可撓性ストランドが中心コアワイヤ−を更に含み、前記複数本の可撓性ストランドが前記中心コアアイヤ−の周りに撚られ、少なくとも１本の前記撚りストランドが放射線不透過性ストランドからなる、請求項１に記載のマルチストランド微細ケ−ブル。
【請求項６】  前記複数の可撓性ストランドが中心コアワイヤ−の周りに撚られた複数本の可撓性ストランドからなり、前記中心コアワイヤ−が放射線不透過性材料で作られる、請求項１に記載のマルチストランド微細ケ−ブル。
【請求項７】  前記放射線不透過性ストランドがプラチナ、金、及びタングステンからなる群から選択された材料からなる、請求項１に記載のマルチストランド微細ケ−ブル。
【請求項８】  前記放射線不透過性ストランドが前記微細ケ−ブルの複数本のストランドからなり、前記複数本の放射線不透過性ストランドのうちの少なくとも１本が前記ケ−ブルの外側撚りストランド内に整列されている、請求項６に記載のマルチストランド微細ケ−ブル。
【請求項９】  治療材料の少なくとも１本のストランドを更に含む、請求項１に記載のマルチストランド微細ケ−ブル。
【請求項１０】  治療材料の前記ストランドがヒドロゲル及び人成長ホルモンからなる群から選択される、請求項９に記載のマルチストランド微細ケ−ブル。
【請求項１１】  前記微細ケ−ブルの前記ストランドを長手方向軸線の周りに束縛するシ−スを更に含む、請求項１に記載のマルチストランド微細ケ−ブル。
【請求項１２】  前記シ−スが前記長手方向ストランドの周りに巻かれた閉じ込めストランドからなる、請求項１１に記載のマルチストランド微細ケ−ブル。
【請求項１３】  低摩擦材料の外方可撓性シ−スを更に含む、請求項１１に記載のマルチストランド微細ケ−ブル。
【請求項１４】  前記外側シースがフルオロポリマーからなる、請求項１３に記載のマルチストランド微細ケ−ブル。
【請求項１５】  前記シ−スが熱収縮性プラスチックチュ−ブからなる、請求項１１に記載のマルチストランド微細ケ−ブル。
【請求項１６】  前記シ−スが更に、前記ケ−ブルの位置で変化する、前記ケ−ブルの曲げ剛さをもたらすように置かれた複数の熱収縮性プラスチックカバ−からなる、請求項１１に記載のマルチストランド微細ケ−ブル。
【請求項１７】  前記シ−スが更に、前記ケ−ブルの位置で変化する、前記ケ−ブルの曲げ剛さを与えるように横断面が長さに沿って変化するシ−スからなる、請求項１１に記載のマルチストランド微細ケ−ブル。
【請求項１８】  パラメ−タを検出するための少なくとも１つの長手方向エレメント更に含む、請求項１に記載のマルチストランド微細ケ−ブル。
【請求項１９】  前記ケ−ブルの遠位端に近い位置に治療効果をもたらすための少なくとも１つの長手方向エレメントを更に含む、請求項１２に記載のマルチストランド微細ケ−ブル。
【請求項２０】  前記検出エレメントが光ファイバ−からなる、請求項１８に記載のマルチストランド微細ケ−ブル。
【請求項２１】  前記治療エレメントがエネルギ−を導く手段からなる、請求項１９に記載のマルチストランド微細ケ−ブル。
【請求項２２】  エネルギ−を導く前記手段が光エネルギ−を導く光ファイバ−からなる、請求項２１に記載のマルチストランド微細ケ−ブル。
【請求項２３】  介入治療及び血管手術に使用され、血管構造の一部に挿入されるようになったデバイスであって、
つぶされた１次コイル形態及び三次元形状を備えた拡大した二次形態を有する、請求項１，２乃至４、７、及び１８のいずれか１項に記載の少なくとも１本のマルチストランド微細ケ−ブルを有し、前記放射線不透過性ストランドはデバイスの展開形態の放射線不透過性マーカーをなす、デバイス。
【請求項２４】  前記二次の三次元形状がほぼ球形、ほぼらせん形、及びほぼ円錐形からなる群から選択される、請求項２３に記載のデバイス。
【請求項２５】  前記複数本のストランドがらせんに巻かれている、請求項２３に記載のデバイス。
【請求項２６】  前記複数本の可撓性ストランドが平行な長手方向ストランドである、請求項２３に記載のデバイス。
【請求項２７】  前記形状記憶ニッケル−チタン合金は、該合金がカテ−テルを介して身体への導入に適した温度で非常に可撓性であり、配置後、デバイスがデバイスに望まれる治療目的を最適化するように設計された形状をとるように熱処理される、請求項２３に記載のデバイス。
【請求項２８】  ストランドのうちの少なくとも１本が治療薬を含む、請求項２３に記載のデバイス。
【請求項２９】  治療薬を含む前記ストランドは、前記ストランドの少なくとも一部が前記ケ−ブル内の他のストランドの直径を超えて突出するように、前記微細ケ−ブルに巻かれる、請求項２８に記載のデバイス。
【請求項３０】  前記治療薬がダクロン（ポリエステル）、ポリグリコ−ル酸、ポリ乳酸、フルオロポリマー、ナイロン、ポリアラミド繊維、ケブラ−、トロンボゼニシィティ（thrombogenicity）のために選択された絹、人成長ホルモン、遺伝物質、抗原、ヒドロゲル、コラ−ゲン、及び乳酸、グリコ−ル酸、カプロラクタム及び微小気泡フォームを含む生物学的吸収性ポリマ−からなる群から選択された繊維からなる、請求項２８に記載のデバイス。
【請求項３１】  前記治療薬はエネルギ−を導く手段からなる、請求項２８に記載のデバイス。
【請求項３２】  エネルギ−を導く前記手段が光エネルギ−を導く光ファイバ−からなる、請求項３１に記載のデバイス。
【請求項３３】  前記治療薬が中心コアに軸線方向に配置される、請求項２８に記載のデバイス。
【請求項３４】  前記複数本のストランドが少なくとも１つの内部ストランドを囲む複数本の外側ストランドからなる、請求項２３に記載のデバイス。
【請求項３５】  前記複数のストランドが中心コアを囲む複数本の外側ストランドからなる、請求項２３に記載のデバイス。
【請求項３６】  前記放射線不透過性ストランドが少なくとも１本の中心に軸線方向に配置された放射線不透過性ワイヤからなる、請求項２３に記載のデバイス。
【請求項３７】  前記微細ケ−ブルが複数本の放射線不透過性ストランドからなる、請求項２３に記載のデバイス。
【請求項３８】  微細ケ−ブルの前記ストランドが複合締めケーブルを製作するために少なくとも１つの外側カバ−によって束ねられる、請求項２３に記載のデバイス。
【請求項３９】  前記外側カバ−が、曲げ剛さをもたらし且つ前記長手方向軸線のまわりに長手方向ストランドを束縛する、材料の外側シースからなる、請求項３８に記載のデバイス。
【請求項４０】  前記複合微細ケ−ブルが、所望の曲げ及び剛さ特性をもたらすために前記外側カバ−内に配置された複数の微細ケ−ブルからなる、請求項３８に記載のデバイス。
【請求項４１】  前記複数本の微細ケ−ブルが前記外側カバ−内でらせんに巻かれる、請求項４０に記載のデバイス。
【請求項４２】  前記複数本の微細ケ−ブルが前記外側カバ−内で平行且つ長手方向に延びる、請求項４０に記載のデバイス。
【請求項４３】  前記複合ケーブルがつぶされた一次形態及び二次形状の拡大した二次形態を有する、請求項４０に記載のデバイス。
【請求項４４】  前記二次形状が三次元である、請求項４３に記載のデバイス。
【請求項４５】  前記二次形状が球形、らせん形及び円錐形からなる群から選択される、請求項４３に記載のデバイス。
【請求項４６】  前記複数本の微細ケ−ブルが、前記複合締めケーブルを製作するために少なくとも１つの外側カバ−によって束ねられる、請求項４０に記載のデバイス。
【請求項４７】  前記複数本の微細ケ−ブルが複数のバンドによって所定間隔で縛られた、請求項４６に記載のデバイス。
【請求項４８】  パラメ−タを検出する前記長手方向要素が光画像要素、光ファイバ−、熱画像要素及び超音波画像要素からなる群から選択される、請求項２３に記載のデバイス。
【請求項４９】  介入治療及び血管手術に使用される一次形状を備えたつぶされたコイル形態、及び二次の三次元形状を有する拡大コイル形態を有する三次元複合デバイスであって、該デバイスは血管構造の一部を閉塞させるために血管構造の一部に挿入されるようになっており、
複数のマルチストランド微細ケ−ブルを有し、前記放射線不透過性ストランドは、血管手術中ケ−ブルで作られたデバイスの展開形態の放射線不透過性マーカーをなす、請求項２３乃至２７のいずれか１項に記載のデバイス。
【請求項５０】  前記微細ケ−ブルが、複合締めケーブルを製作するために前記複数本のマルチストランド微細ケ−ブルの少なくとも一部にわたって配置された少なくとも１つの外側カバ−を更に含む、請求項４９に記載の三次元複合デバイス。
【請求項５１】  複数本の前記可撓性ストランドが超弾性材料からなる、請求項４９に記載の三次元複合デバイス。
【請求項５２】  弾性材料の複数の前記可撓性ストランドが形状記憶材料からなる、請求項４９に記載の三次元複合デバイス。
【請求項５３】  ストランドのうちの少なくとも１本がダクロン（ポリエステル）、ポリグリコ−ル酸、ポリ乳酸、フルオロポリマー、ナイロン、ポリアラミド繊維ケブラ−及びトロンボ形成のために選択された絹、人成長ホルモン、遺伝物質、抗原及びヒドロゲルからなる群から選択された繊維からなる群から選択された治療薬を含む、請求項５０に記載の三次元複合デバイス。
【請求項５４】  治療薬の前記ストランドの少なくとも一部が前記ケ−ブルの残りのストランドの直径を超えて突出する、請求項５３に記載の三次元複合デバイス。
【請求項５５】  前記治療薬がヒドロゲル、コラ−ゲン、及び乳酸、グリコ−ル酸及びカプロラクタムを含む生物学的吸収性ポリマ−からなる群から選択された少なくとも１つの成分からなる、請求項５３に記載の三次元複合デバイス。
【請求項５６】  前記外側カバ−が前記微細ケ−ブルの前記ストランドを長手方向軸線の周りに束縛するシ−スからなる、請求項３８又は５０のいずれか１項に記載の三次元複合デバイス。
【請求項５７】  前記外側カバ−が、曲げ剛さをもたらし、且つ前記長手方向軸線の周りに前記長手方向ストランドを束縛する材料の外側シースからなり、前記シ−スがフルオロポリマー及び熱収縮性プラスチックチュ−ブからなる群から選択された低摩擦材料で形成されている、請求項５０に記載の三次元複合デバイス。
【請求項５８】  前記シ−スが、前記ケ−ブルの位置で変化する前記ケ−ブルの曲げ剛さをもたらすように置かれた複数の熱収縮性プラスチックチュ−ブからなる、請求項５６に記載の三次元複合デバイス。
【請求項５９】  前記シ−スが、前記ケ−ブルの位置で変化する前記ケ−ブルの曲げ剛さをもたらすように置かれた複数の熱収縮性プラスチックチュ−ブからなる、請求項５６に記載の三次元複合デバイス。
【請求項６０】  微細ケ−ブルの前記ストランドが、複合締めケーブルを製作するために前記微細ケ−ブルに沿って所々に配置された複数のバンドによって束ねられている、請求項３８又は５０のいずれか１項に記載の三次元複合デバイス。
【請求項６１】  前記ストランドが複合締めケーブル内に平行に置かれている、請求項６０に記載の三次元複合デバイス。
【請求項６２】  前記外部覆いカバ−が、複合ケ−ブルのトルク能力及び剛さの変化をもたらすように外側に沿って変化する間隔で巻かれている、請求項３９又は６０のいずれか１項に記載の三次元複合デバイス。
【請求項６３】  外側カバ−の幅が複合ケ−ブルに沿って変化する、請求項３９又は６０のいずれか１項に記載の三次元複合デバイス。
【請求項６４】  前記外側カバ−が、前記複合ケ−ブルに沿って変化する前記複合ケ−ブルの曲げ剛さをもたらすように、横断面が長さに沿って変化する、請求項３８又は５０のいずれか１項に記載の三次元複合デバイス。
【請求項６５】  ストランドの数及びストランドが外側カバ−内の前記複合ケ−ブルに沿って延びる程度が前記複合ケ−ブルに沿って変化する、請求項３８又は５０のいずれか１項に記載の三次元複合デバイス。
【請求項６６】  外側カバ−が、ケ−ブルの長さにわたって累進的曲げ及び剛さ特性をもたらすために、異なる材料で形成された複数の層を含む、請求項３８又は５７のいずれか１項に記載の三次元複合デバイス。
【請求項６７】  前記シ−スが低摩擦材料で作られている、請求項５６に記載のデバイス。
【請求項６８】  前記シ−スがフルオロポリマーで作られている、請求項５６に記載のデバイス。
【請求項６９】  前記シ−スが熱収縮性プラスチックチュ−ブからなる、請求項５６に記載のデバイス。
【請求項７０】  前記ストランドが複合締めケーブル内で撚られている、請求項５６に記載のデバイス。
【請求項７１】  介入治療及び血管手術に使用され、血管構造の一部に挿入されるようになったデバイスであって、
外側コイル部分及び内側コア部分を有する形状記憶コイルを有し、前記形状記憶コイルはつぶされた一次コイル形態及び三次元形状を備えた拡大二次形態を有し、
更に、デバイスの展開形態の放射線不透過性マーカーをなすために、形状記憶コイルのコアを通って延びる放射線不透過性ストランドを含み、前記放射線不透過性ストランドは前記形状記憶コイル内に配置された間欠的に間隔を隔てた拡大部分を有する、デバイス。
【請求項７２】  前記形状記憶コイルが弾性材料の複数本の可撓性ストランドを有するマルチストランドコイルからなる、請求項７１に記載のデバイス。
【請求項７３】  前記形状記憶コイルが単一のストランドコイルかちなる、請求項７１に記載のデバイス。
【請求項７４】  前記単一のストランドコイルがニッケル−チタン合金からなる、請求項７３に記載のデバイス。
【請求項７５】  前記単一のストランドコイルが形状記憶ポリマ−からなる、請求項７３に記載のデバイス。
【請求項７６】  前記拡大部分がプラチナ及び金からなる群から選択された放射線不透過性材料からなる、請求項７１に記載のデバイス。
【請求項７７】  前記拡大部分が材料のコアストランドに間隔を隔てて設けられた放射線不透過性材料の複数のビードからなる、請求項７１に記載のデバイス。
【請求項７８】  前記ビードがプラチナ、金及びタングステンからなる群から選択された放射線不透過性材料からなる、請求項７７に記載のデバイス。
【請求項７９】  前記複数のビードのうちの少なくとも１つが形状記憶コイルのセグメントに結合されている、請求項７７に記載のデバイス。
【請求項８０】  端ビードが形状記憶コイルのセグメントに結合されている、請求項７７に記載のデバイス。
【請求項８１】  前記拡大部分が前記コアストランドの周りに間隔を隔てて間欠的に巻かれた複数のコイルからなる、請求項７１に記載のデバイス。
【請求項８２】  前記コアストランドがプラチナ及び金からなる群から選択された放射線不透過性材料からなる、請求項８１に記載のデバイス。
【請求項８３】  前記間隔を隔てたコイルがプラチナ及び金からなる群から選択された放射線不透過性材料からなる、請求項８１に記載のデバイス。
【請求項８４】  前記コアストランドがプラチナ、金、２５℃以下のガラス転位温度（Ｔg）を有する形状記憶ポリマ−、ヒドロゲル、アモルファスゲル、及び繊維からなる群から選択された材料からなる、請求項７１に記載のデバイス。
【請求項８５】  介入治療及び血管手術に使用され、血管構造の一部に挿入するようになった閉塞デバイスであって、
つぶされた一次コイル形態及び三次元の多面体の拡大した２次形態を有する形状記憶材料で形成された複数のコイルア−ムを有し、前記コイルア−ムが内端及び外端を有し、前記コイルア−ムの前記内端が一緒に連結されており、
更に、前記コイルア−ムの前記内端に連結された中心コイル本体を有する、閉塞デバイス。
【請求項８６】  前記複数のコイルア−ムが、各々内先端を有する円錐形のコイルで形成され、前記内先端が前記中心本体に連結され、前記円錐形状のコイルは、該コイルが外方に放射する時拡張する直径を有する、請求項８５に記載の閉塞デバイス。
【請求項８７】  前記中心三次元コイルが球形、丸く、及び立方体の形状からなる群から選択された形状を有する、請求項８５に記載の閉塞デバイス。
【請求項８８】  前記複数のコイルア−ムが、弾性材料の複数本の可撓性ストランドと、放射線不透過性マーカーをなす少なくとも１本の放射線不透過性ストランドと、を有する少なくとも１本のマルチストランド微細ケ−ブルからなる、請求項８５に記載の閉塞デバイス。
【請求項８９】  前記複数のコイルア−ムが、一次らせん巻きコイルの少なくとも１本の二次巻きコイルからなる、請求項８５に記載の閉塞デバイス。
【請求項９０】  前記中心三次元コイルが、一次らせん巻きコイルの二次巻きコイルからなる、請求項８６に記載の閉塞デバイス。
【請求項９１】  介入治療及び血管手術に使用され、血管構造の一部に挿入されるようになったデバイスであって、
つぶされた一次コイル形態及び三次元形状を備えた拡張した二次形態を有するコイルを有し、前記コイルは弾性材料の少なくとも１本の可撓性ストランドで形成され、
更に、デバイスの配置後に部位の処置を高めるためにコイルに織り込まれた少なくとも１本の可撓性ストランドを含む、デバイス。
【請求項９２】  前記少なくとも１本の可撓性ストランドが弾性材料の複数の可撓性ストランドと、デバイスの展開形態の放射線不透過性マーカーをなす少なくとも１本の放射線不透過性ストランドと、からなる、請求項９１に記載のデバイス。
【請求項９３】  前記少なくとも１つの治療用繊維がコイルの隣接したループの周りに織り込まれている、請求項９１に記載のデバイス。
【請求項９４】  前記少なくとも１つの治療用繊維がコイルの非隣接したループの周りに織り込まれている、請求項９１に記載のデバイス。
【請求項９５】  前記少なくとも１つの治療用繊維がコイルの隣接したループの多ストランドに織り込まれている、請求項９１に記載のデバイス。
【請求項９６】  前記少なくとも１つの治療用繊維がコイルの非隣接したループの多ストランドに織り込まれている、請求項９１に記載のデバイス。
【請求項９７】  前記少なくとも１つの治療用繊維が、デバイスの配置後に活性になるようにした治療薬の一定時刻の解放をもたらす材料で作られている、請求項９１に記載のデバイス。
【請求項９８】  前記治療薬が人成長ホルモン、コラ−ゲン、成長因子をもった改質ポリマー、遺伝子治療のための遺伝子物質、及び抗原からなる群から選択される、請求項９７に記載のデバイス。
【請求項９９】  前記少なくとも１つの治療用繊維が、複数の治療用繊維と、異なる治療を行うために異なる治療薬を持ったコイルにされた異なる繊維とを有する、請求項９７に記載のデバイス。
【請求項１００】  前記コイル２次三次元形態がらせん形である、請求項９１に記載のデバイス。
【請求項１０１】  前記少なくとも１本の可撓性ストランドがニッケル−チタン合金からなる、請求項９１に記載のデバイス。
【請求項１０２】  介入治療及び血管手術に使用され、血管構造の一部に挿入されるようになったデバイスであって、
外側コイル部分及び内側コア部分を有する形状記憶コイルを有し、前記形状記憶コイルはつぶされた一次コイル形態及び三次元形状を備えた拡大二次形態を有し、
前記放射線不透過性ストランドは前記形状記憶コイル内に配置された間欠的に間隔を隔てた拡大部分を有する、デバイス。
【請求項１０３】  前記形状記憶コイルが弾性材料の複数本の可撓性ストランドを有するマルチストランドコイルからなる、請求項１０２に記載のデバイス。
【請求項１０４】  前記形状記憶コイルが単一のストランドコイルかちなる、請求項１０２に記載のデバイス。
【請求項１０５】  前記単一のストランドコイルがニッケル−チタン合金からなる、請求項１０４に記載のデバイス。
【請求項１０６】  前記単一のストランドコイルが形状記憶ポリマ−からなる、請求項１０４に記載のデバイス。
【請求項１０７】  前記拡大部分がプラチナ及び金からなる群から選択された放射線不透過性材料からなる、請求項１０２に記載のデバイス。
【請求項１０８】  前記拡大部分が材料のコアストランドに間隔を隔てて設けられた放射線不透過性材料の複数のビードからなる、請求項１０２に記載のデバイス。
【請求項１０９】  前記ビードがプラチナ、金及びタングステンからなる群から選択された放射線不透過性材料からなる、請求項１０８に記載のデバイス。
【請求項１１０】  前記複数のビードのうちの少なくとも１つが形状記憶コイルのセグメントに結合されている、請求項１０８に記載のデバイス。
【請求項１１１】  前記拡大部分が前記コアストランドの周りに間隔を隔てて間欠的に巻かれた複数のコイルからなる、請求項１０８に記載のデバイス。
【請求項１１２】  少なくとも１本の前記コアストランドがプラチナ及び金からなる群から選択された放射線不透過性材料からなる、請求項１０２に記載のデバイス。
【請求項１１３】  前記間隔を隔てたコイルがプラチナ及び金からなる群から選択された放射線不透過性材料からなる、請求項１１１に記載のデバイス。
【請求項１１４】  少なくとも１本の前記コアストランドがプラチナ、金、２５℃以下のガラス転位温度（Ｔg）を有する形状記憶ポリマ−、ヒドロゲル、アモルファスゲル、及び繊維からなる群から選択された材料からなる、請求項１０２に記載のデバイス。
【請求項１１５】  介入治療及び血管手術に使用され、血管構造の一部に挿入されるようになったデバイスであって、
つぶされた一次コイル形態及び三次元形状を備えた拡張した二次形態を有するコイルを有し、
更に、前記少なくとも１つの治療用繊維がデバイスの配置後に血管構造の部位の処置を高めるためにコイルに織り込まれ、前記コイルは弾性材料の少なくとも１本の可撓性ストランドで形成され、少なくとも１本の放射線不透過性ストランドはデバイスの展開形態の放射線不透過性マーカーをなす、デバイス。
【請求項１１６】  前記少なくとも１つの治療用繊維がコイルの隣接したループの周りに織り込まれている、請求項１１５に記載のデバイス。
【請求項１１７】  前記少なくとも１つの治療用繊維がコイルの隣接したループの周りに織り込まれている、請求項１１５に記載のデバイス。
【請求項１１８】  前記少なくとも１つの治療用繊維がコイルの隣接したループの多ストランドに織り込まれている、請求項１１５に記載のデバイス。
【請求項１１９】  前記少なくとも１つの治療用繊維がコイルの非隣接したループの多ストランドに織り込まれている、請求項１１５に記載のデバイス。
【請求項１２０】  前記少なくとも１つの治療用繊維が、デバイスの配置後に活性になるようにした治療薬の一定時刻の解放をもたらす材料で作られている、請求項１１５に記載のデバイス。
【請求項１２１】  前記治療薬が人成長ホルモン、コラ−ゲン、成長因子をもった改質ポリマー、遺伝子治療のための遺伝子物質、及び抗原からなる群から選択される、請求項１２０に記載のデバイス。
【請求項１２２】  前記少なくとも１つの治療用繊維が、複数の治療用繊維と、異なる治療を行うために異なる治療薬を持ったコイルにされた異なる繊維とを有する、請求項１２０に記載のデバイス。
【請求項１２３】  前記コイル２次三次元形態がらせん形である、請求項１１５に記載のデバイス。
【請求項１２４】  前記複数の可撓性ストランドがニッケル−チタン合金からなる、請求項１１５に記載のデバイス。